(57)【特許請求の範囲】
【請求項１】
貫通孔が形成された所定の厚みで上下方向に延びる壁体（Ａ）と、
収納物の出し入れ口を有し且つ該壁体の前方に位置する前方収納部と、該壁体の後方に位置する後方収納部とを備え、該後方収納部と該前方収納部でひとつの収納部を形成する該貫通孔または該貫通孔の周縁部に固定される容器（Ｂ）と、を有することを特徴とする商品用容器構造体。
【請求項２】
該容器（Ｂ）は、後方端が開口し、該開口周りに前方フランジを有する前方容器と、前方端が開口し、該開口周りに後方フランジを有する後方容器とからなり、該前方フランジを該壁体の前面の該貫通孔の周縁部に固定し、該後方フランジを該壁体の背面の該貫通孔の周縁部に固定したことを特徴とする請求項１記載の商品用容器構造体。
【請求項３】
該容器（Ｂ）は、後方端が開口し、該開口周りに前方フランジを有する前方容器と、前方端が開口し、該開口周りに後方フランジを有する後方容器とからなり、該前方フランジと後方フランジの面同士を当接させ、該後方容器を前方から該貫通孔に入れ込み、該当接させたフランジを該壁体の前面の該貫通孔の周縁部に固定したことを特徴とする請求項１記載の商品用容器構造体。
【請求項４】
該容器（Ｂ）は、後方端が開口し、該開口周りに前方フランジを有する前方容器と、前方端が開口し、該開口周りに後方フランジを有する後方容器とからなり、該前方フランジと後方フランジの面同士を当接させ、該前方容器を後方から該貫通孔に入れ込み、該当接させたフランジを該壁体の背面の該貫通孔の周縁部に固定したことを特徴とする請求項１記載の商品用容器構造体。
【請求項５】
該容器（Ｂ）は出し入れ口を除いて一体でひとつの収納部を有し、前後方向の中間位置に中間フランジを有するものであり、該容器を該貫通孔に通して、該中間フランジを該壁体の前面又は背面の該貫通孔の周縁部に固定したことを特徴とする請求項１記載の商品用容器構造体。
【請求項６】
該容器（Ｂ）は出し入れ口を除いて一体でひとつの収納部を有し、該容器の中間部を該貫通孔に固定したことを特徴とする請求項１記載の商品用容器構造体。
【請求項７】
該後方容器は、底面が該壁体に向けて漸次下り傾斜の傾斜部を有することを特徴とする請求項１〜４のいずれか１項に記載の商品用容器構造体。
【請求項８】
該出し入れ口は、上面に形成されたことを特徴とする請求項１記載の商品用容器構造体。
【請求項９】
該壁体は、固定物であることを特徴とする請求項１〜８のいずれか１項に記載の商品用容器構造体。 
【発明の詳細な説明】
【技術分野】
【０００１】
本発明は、例えば駄菓子等の商品を収容し、該商品の陳列および販売に好適な商品用容器構造体に関するものである。
【背景技術】
【０００２】
駄菓子は子供達に人気のお菓子であり、また、大人にとっても懐かしい商品のひとつである。従来、駄菓子などの菓子容器としては、設置面に置くタイプの置き型容器が知られている。
【０００３】
置き型容器としては、設置面を有し且つ上部に開口を有する容器本体部と、該開口を閉じたり開けたりする蓋部とからなる。置き型容器は、通常、多種類の駄菓子に応じて、複数個を横並びに設置して使用する。
【先行技術文献】
【特許文献】
【０００４】
【非特許文献１】意匠登録第１３１８９０５号公報
【発明の概要】
【発明が解決しようとする課題】
【０００５】
しかしながら、従来の置き型容器は、単純な形状のものが多く、陳列の演出に欠けるという問題があった。駄菓子が斬新な容器に収納されていれば、子供達の目に留まりやすく、販売促進にもつながる。このような状況下、近年、従来にはない非置き型容器の開発が望まれていた。
【０００６】
従って、本発明の目的は、駄菓子の陳列、販売に好適な斬新な形状の非置き型容器を提供することにある。
【０００７】
すなわち、本発明は、前記従来の課題を解決したものであって、貫通孔が形成された所定の厚みで上下方向に延びる壁体（Ａ）と、収納物の出し入れ口を有し且つ該壁体の前方に位置する前方収納部と、該壁体の後方に位置する後方収納部とを備え、該後方収納部と該前方収納部でひとつの収納部を形成する該貫通孔または該貫通孔の周縁部に固定される容器（Ｂ）と、を有することを特徴とする商品用容器構造体を提供するものである。
【０００８】
また、本発明は、該容器（Ｂ）は、後方端が開口し、該開口周りに前方フランジを有する前方容器と、前方端が開口し、該開口周りに後方フランジを有する後方容器とからなり、該前方フランジを該壁体の前面の該貫通孔の周縁部に固定し、該後方フランジを該壁体の背面の該貫通孔の周縁部に固定したことを特徴とする前記商品用容器構造体を提供するものである。
【０００９】
また、本発明は、該容器（Ｂ）は、後方端が開口し、該開口周りに前方フランジを有する前方容器と、前方端が開口し、該開口周りに後方フランジを有する後方容器とからなり、該前方フランジと後方フランジの面同士を当接させ、該後方容器を前方から該貫通孔に入れ込み、該当接させたフランジを該壁体の前面の該貫通孔の周縁部に固定したことを特徴とする前記商品用容器構造体を提供するものである。
【００１０】
また、本発明は、該容器（Ｂ）は、後方端が開口し、該開口周りに前方フランジを有する前方容器と、前方端が開口し、該開口周りに後方フランジを有する後方容器とからなり、該前方フランジと後方フランジの面同士を当接させ、該前方容器を後方から該貫通孔に入れ込み、該当接させたフランジを該壁体の背面の該貫通孔の周縁部に固定したことを特徴とする前記商品用容器構造体を提供するものである。
【００１１】
また、本発明は、該容器（Ｂ）は出し入れ口を除いて一体でひとつの収納部を有し、前後方向の中間位置に中間フランジを有するものであり、該容器を該貫通孔に通して、該中間フランジを該壁体の前面又は背面の該貫通孔の周縁部に固定したことを特徴とする前記商品用容器構造体を提供するものである。
【００１２】
また、本発明は、該容器（Ｂ）は出し入れ口を除いて一体でひとつの収納部を有し、該容器の中間部を該貫通孔に固定したことを特徴とする前記商品用容器構造体を提供するものである。
【００１３】
また、本発明は、該後方容器は、底面が該壁体に向けて漸次下り傾斜の傾斜部を有することを特徴とする前記商品用容器構造体を提供するものである。
【００１４】
また、本発明は、該出し入れ口は、上面に形成されたことを特徴とする前記商品用容器構造体を提供するものである。
【００１５】
また、本発明は、該壁体は、固定物であることを特徴とする前記商品用容器構造体を提供するものである。
【発明の効果】
【００１６】
本発明によれば、駄菓子の陳列、販売に好適な斬新な形状の非置き型容器を提供することができる。
【図面の簡単な説明】
【００１７】
【図１】本発明の第１の実施の形態における商品用容器構造体の斜視図である。
【図２】図１の商品用容器構造体で使用する壁体の斜視図である。
【図３】図１の商品用容器構造体の側面図である。
【図４】図３の商品用容器構造体の断面図である。
【図５】図１の商品用容器構造体で使用する前方容器の斜視図である。
【図６】図１の商品用容器構造体で使用する後方容器の斜視図である。
【図７】本発明の第２の実施の形態における商品用容器構造体の断面図である。
【図８】本発明の第３の実施の形態における商品用容器構造体の断面図である。
【図９】本発明の第４の実施の形態における商品用容器構造体の分解斜視図である。
【図１０】本発明の第５の実施の形態における商品用容器構造体の分解斜視図である。
【図１１】本発明の第６の実施の形態における商品用容器構造体で使用する前方容器の斜視図である。
【図１２】図１１の前方容器を使用した商品用容器構造体の使用状態図である。
【発明を実施するための形態】
【００１８】
次に、本発明の第１の実施の形態における商品用容器構造体について、図１〜図６を参照して説明する。商品用容器構造体１０は、貫通孔３２が形成された所定の厚みで上下方向に延びる壁体（Ａ）（以下、符号（Ａ）の記載は省略する。）３と、貫通孔３２の周縁部３３に固定される容器（Ｂ）（以下、符号（Ｂ）の記載は省略する。）Ｘと、を有する。
【００１９】
壁体３は固定物又は移動物であってもよいが、固定された板状の大きな壁体であれば、複数個の容器Ｘが設置できる点で好ましい。また、部屋を仕切る（区画する）壁体で壁体の裏側が見えないものであれば、後方容器の存在が際立ち、陳列の演出が高まる。部屋を仕切る壁体とは、縦壁であり、上下端及び左右端が部屋の躯体などに接続しているものを言う。図１〜図４に記載された壁体３は、その一部を記載したものであり、実際には縦方向および横方向にそれぞれ長く延びている。また、壁体３は木製物であると、容器Ｘの設置が容易となる点で好ましい。壁体３の厚みとしては、容器Ｘを安定して固定できる強度を付与できる厚みであり、８〜１２ｍｍ程度であれば十分である。壁体３は起立状のものであれば、容器Ｘを水平設置できる点で好ましい。なお、壁体３は前方傾斜あるいは後方傾斜していてもよい。
【００２０】
壁体３には貫通孔３２が形成されている。貫通孔３２は、開口を前方位置とした後方容器が前方から後方に向けて挿入されるための孔である。貫通孔３２は、本例では円形状であるが、これに限定されず、容器の開口および容器の形状に応じて、適宜、四角形、楕円形、不定形状などを採ることができる。本例の貫通孔３２は、後方容器２の容器本体２１とフランジ２３の接続近傍（付け根部分）の外周形状に対応する形状である。貫通孔３２は、壁体３に複数個形成されていてもよい。この場合、貫通孔３２毎に商品用容器構造体１０を設置すればよい。複数個の貫通孔に設置されたそれぞれの商品用容器構造体１０は、壁体を共有することになる。
【００２１】
商品用容器構造体１０において、容器Ｘは、後方端が開口１２し、開口１２周りに前方フランジ１４を有する前方容器１と、前方端が開口２２し、開口２２周りに後方フランジ２３を有する後方容器２とからなり、前方フランジ１４と後方フランジ２３の面（端面）同士を当接させ、後方容器２を前方から貫通孔３２に入れ込み、当接させたフランジを壁体本体３１の前面の貫通孔３２の周縁部３３にネジ４で固定したものである。本発明において、貫通孔３２の周縁部３３とは、前方容器又は後方容器の前方又は後方フランジ、当接させたフランジあるいは中間フランジが固定される部分であり、貫通孔３２の端から周縁の約数十ｍｍ程度を言う。容器Ｘの前方容器の開口１２と後方容器の開口２２は略同一であり、フランジ同士を当接することで、一体容器となり、開口が一致する。
【００２２】
容器Ｘの前方容器１のフランジ１４には、ネジ孔１５が形成されており、壁体３への固定を可能としている。また、前方容器１の形状は、正面視が略円形、側面視が先端に向けてやや先細りの容器である。前方容器１の収納物の出し入れ口１１は、前方容器１の上面に大きく口を開けて形成されており、駄菓子などの収納物Ａの出し入れを容易にしている。
【００２３】
容器Ｘの後方容器２のフランジ２３には、ネジ孔２４が形成されており、壁体３への固定を可能としている。また、後方容器２の形状は、開口側が円形、後方側が略四角形の形状であり、側面視が後方に向けてやや先細りの容器である。後方容器２は、底面が壁体３に向けて漸次下り傾斜の傾斜部２１１を有する。これにより、傾斜部２１１に位置する駄菓子等の収納物Ａは常に前出し状態となり、出し入れ口１１から取りやすくなると共に、後方に売れ残りが長期間に亘り残ることを防止できる。
【００２４】
商品用容器構造体１０において、容器Ｘは、収納物の出し入れ口１１を有し且つ壁体３の前方に位置する前方収納部Ｘ１と、壁体３の後方に位置する後方収納部Ｙ１とを備え、前方収納部Ｘ１と後方収納部Ｙ１でひとつの収納部を形成している。壁体３の前方及び後方は、壁体３の前後方向の中心を基準としている。ひとつの収納部とは前方収納部Ｘ１と後方収納部Ｙ１とが、障害物なしで一体となってひとつの大きな空間を形成していることを意味する。前方容器１の容量と後方容器２の容量比は、３０：７０〜７０：３０、好適には４０：６０〜６０：４０である。また、前方収納部Ｘ１の容量と後方収納部Ｙ１の容量比は、同様に、３０：７０〜７０：３０、好適には４０：６０〜６０：４０である。
【００２５】
商品用容器構造体１０は、前方収納部Ｘ１のほとんど全部を有する前方容器１が壁体３から前方に突出している。このため、顧客は少し離れた位置からは前方容器１のみが確認できる。顧客は商品用容器構造体１０に近づくと、前方容器１の後方に後方容器２の存在を確認できる。このため、見た目以上の駄菓子の収納個数に興味を抱く。また、後方容器２が隠れていそうで見れるため陳列の演出を高めることができる。駄菓子などの収納物は出し入れ口１１から前方収納部Ｘ１および後方収納部Ｙ１に多量に入れられる。顧客は出し入れ口１１から手を入れて駄菓子を取り出すことになる。また、商品用容器構造体１０は、貫通孔３２が顧客からは見えず、容器構造にも注目が集まる。また、容器Ｘは２つに分割されており、保管に場所を採らない。
【００２６】
次に、第２の実施の形態における商品用容器構造体１０ａを、図７を参照して説明する。図７の商品用容器構造体１０ａにおいて、図１〜図６の商品用容器構造体１０と同一構成要素には同一符号を付して、その説明を省略し、異なる点について主に説明する。すなわち、商品用容器構造体１０ａにおいて、商品用容器構造体１０と異なる点は、前方容器１及び後方容器２の壁体３への取り付け方法である。すなわち、容器（Ｂ）は、前方容器１の前方フランジ１４を壁体３の前面の貫通孔３２の周縁部３３ａに固定し、後方容器２の後方フランジ２３を壁体３の背面の貫通孔３２の周縁部３３ｂに固定したものである。前方容器１の前方フランジ１４の壁体３への取り付け及び後方容器２の後方フランジ２３の壁体３への取り付けは、ネジ１本で双方を固定してもよく、別々に固定してもよい。
【００２７】
商品用容器構造体１０ａの容器Ｘ内の中間部は、前方から後方に向けて、前方容器１の開口１２、壁体３の貫通孔３２及び後方容器２の開口２２の順に連通することになる。なお、壁体３の貫通孔３２の形状は、前方容器１の開口１２及び後方容器２の開口２２と略同じであることが好ましい。商品用容器構造体１０ａにおいて、容器Ｘは、収納物の出し入れ口１１を有し且つ壁体３の前方に位置する前方収納部Ｘ２と、壁体３の後方に位置する後方収納部Ｙ２とを備え、前方収納部Ｘ２と後方収納部Ｙ２でひとつの収納部を形成している。ひとつの収納部とは前方収納部Ｘ２と後方収納部Ｙ２とが、障害物なしで一体となってひとつの大きな空間を形成していることを意味する。前方容器１の容量と後方容器２の容量比及び前方収納部Ｘ２の容量と後方収納部Ｙ２の容量比は、商品用容器構造体１０と同様である。商品用容器構造体１０ａにおいても、商品用容器構造体１０と同様の効果を奏する。
【００２８】
次に、第３の実施の形態における商品用容器構造体１０ｂを、図８を参照して説明する。図８の商品用容器構造体１０ｂにおいて、図１〜図６の商品用容器構造体１０と同一構成要素には同一符号を付して、その説明を省略し、異なる点について主に説明する。すなわち、商品用容器構造体１０ｂにおいて、商品用容器構造体１０と異なる点は、前方容器１及び後方容器２の壁体３への取り付け方法である。
【００２９】
商品用容器構造体１０ｂにおいて、容器Ｘは、前方容器１の前方フランジ１４と後方容器２の後方フランジ２３の面（端面）同士を当接させ、前方容器２を後方から貫通孔３２に入れ込み、当接させたフランジを壁体本体３１の背面の貫通孔３２の周縁部３３ｂにネジ４で固定したものである。商品用容器構造体１０ｂにおいて、容器Ｘは、収納物の出し入れ口１１を有し且つ壁体３の前方に位置する前方収納部Ｘ３と、壁体３の後方に位置する後方収納部Ｙ３とを備え、前方収納部Ｘ３と後方収納部Ｙ３でひとつの収納部を形成している。ひとつの収納部とは前方収納部Ｘ３と後方収納部Ｙ３とが、障害物なしで一体となってひとつの大きな空間を形成していることを意味する。前方容器１の容量と後方容器２の容量比及び前方収納部Ｘ３の容量と後方収納部Ｙ３の容量比は、商品用容器構造体１０と同様である。商品用容器構造体１０ａにおいても、商品用容器構造体１０と同様の効果を奏する。
【００３０】
次に、第４の実施の形態における商品用容器構造体１０ｃを、図９を参照して説明する。図９の商品用容器構造体１０ｃにおいて、図１〜図６の商品用容器構造体１０と同一構成要素には同一符号を付して、その説明を省略し、異なる点について主に説明する。すなわち、商品用容器構造体１０ｃにおいて、商品用容器構造体１０と異なる点は、容器構造である。
【００３１】
商品用容器構造体１０ｃにおいて、容器Ｘは、前方容器１と後方容器２の区別がなく、ひとつの容器である。例えば、前方容器５１の前方フランジと後方容器５２の後方フランジの面（端面）同士を当接させ、当接されたフランジ５３が一体化している容器である。すなわち、商品用容器構造体１０ｃの容器Ｘは、一体容器であり、その前後方向の中間部位にフランジ５３が形成されたものである。一体容器５において、フランジ５３の前方側の容器５１には収納物の出入り口５４が形成されている。商品用容器構造体１０ｃにおいて、容器５は、収納物の出し入れ口１１を有し且つ壁体３の前方に位置する前方収納部と、壁体３の後方に位置する後方収納部とを備え、前方収納部と後方収納部でひとつの収納部を形成している。ひとつの収納部とは前方収納部と後方収納部とが、障害物なしで一体となってひとつの大きな空間を形成していることを意味する。一体容器５は壁体３の貫通孔３２に対して、前方から挿入してもよく、この場合、フランジ５３は、壁体３の前面における貫通孔３２の周縁３３ａに固定される。また、一体容器５は壁体３の貫通孔３２に対して、後方から前方へ挿入してもよく、この場合、フランジ５３は、壁体３の背面における貫通孔３２の周縁３３ｂに固定される。商品用容器構造体１０ｃにおいては、保管場所を少し採るものの、商品用容器構造体１０と同様の効果を奏する。
【００３２】
次に、第５の実施の形態における商品用容器構造体１０ｄを、図１０を参照して説明する。図１０の商品用容器構造体１０ｄにおいて、図１〜図６の商品用容器構造体１０と同一構成要素には同一符号を付して、その説明を省略し、異なる点について主に説明する。すなわち、商品用容器構造体１０ｄにおいて、商品用容器構造体１０と異なる点は、容器構造と壁体の貫通孔構造である。
【００３３】
商品用容器構造体１０ｄにおいて、容器Ｘは、前方容器１と後方容器２の区別がなく、ひとつの容器である。すなわち、商品用容器構造体１０ｄの容器Ｘは、一体容器であり、その前後方向の中間部の容器周面に雄ネジが切られたネジ部６３が形成されたものである。一体容器６において、ネジ部６３の前方側の容器６１には収納物の出入り口６４が形成されている。商品用容器構造体１０ｄにおいて、容器６は、収納物の出し入れ口１１を有し且つ壁体３の前方に位置する前方収納部と、壁体３の後方に位置する後方収納部とを備え、前方収納部と後方収納部でひとつの収納部を形成している。ひとつの収納部とは前方収納部と後方収納部とが、障害物なしで一体となってひとつの大きな空間を形成していることを意味する。また、壁体３の貫通孔３２の内周面には、雌ネジが切られている。一体容器６は壁体３の貫通孔３２のネジ部に螺合により固定される。商品用容器構造体１０ｄにおいては、保管場所を少し採るものの、商品用容器構造体１０と同様の効果を奏する。
【００３４】
次に、第６の実施の形態における商品用容器構造体１０ｅを、図１１を参照して説明する。図１１の商品用容器構造体１０ｅにおいて、図１〜図６の商品用容器構造体１０と同一構成要素には同一符号を付して、その説明を省略し、異なる点について主に説明する。すなわち、商品用容器構造体１０ｅにおいて、商品用容器構造体１０と異なる点は、前方容器である。すなわち、商品用容器構造体１０ｅは図１〜図６の商品用容器構造体１０の変形例であって、前方容器のみ異なる。すなわち、前方容器１ａの先端部には商品名が書かれたカード類が装着できる装着部１６が形成されている。これにより、商品用容器構造体１０ｅの容器Ｘに収納されている収納物を明確に知ることが出来る。商品用容器構造体１０ｅにおいては、商品用容器構造体１０と同様の効果を奏する。
【００３５】
本発明において、上記実施の形態例に限定されず、種々の変形を採ることができる。商品用容器構造体１０〜１０ｃにおいて、壁体とフランジの接合は、ネジに限定されず、接着剤などの公知の接合方法が適用できる。商品用容器構造体１０〜１０ｃにおいて、フランジは全周が鍔状のフランジに限定されず、周方向に一部が切り欠かれた部分フランジであってもよい。商品用容器構造体１０〜１０ｅは、図１０及び図１２に示すように、大きな壁体３に対して、複数個を設置することができる。この場合、必要設置数分の貫通孔が形成されることになる。これにより、種類の異なる駄菓子をひとつの壁体に陳列することができる。本発明の商品用容器構造体において、壁体より突出する前方収納部の寸法は、１００〜２００ｍｍ程度でよく、壁体より突出する後方収納部の寸法は、１００〜２００ｍｍ程度でよい。また、本発明の商品用容器構造体１０〜１０ｅにおいて、容器形状としては、特に制限されず、種々の形状を採ることができる。
【産業上の利用可能性】
【００３６】
本発明の商品用容器構造体は、非置き型容器であり、後方容器又は容器の後方部分が正面から見えにくくなっているものの、商品である収納物を手に取る際は、後方容器の存在に気づく。このため、顧客、特に子供の興味をひくことができ、売上向上につながる。
【符号の説明】
【００３７】
１    前方容器
２    後方容器
３    壁体
４    ネジ
１０〜１０ｅ    商品用容器構造体
１１  収納物の出入り口
１２  前方容器の開口
２２  後方容器の開口
３２  貫通孔
Ｘ    容器
Ｘ１〜Ｘ３    前方収納部
Ｙ１〜Ｙ３    後方収納部
【図１】
0006486701.tif 000002
【図２】
0006486701.tif 000003
【図３】
0006486701.tif 000004
【図４】
0006486701.tif 000005
【図５】
0006486701.tif 000006
【図６】
0006486701.tif 000007
【図７】
0006486701.tif 000008
【図８】
0006486701.tif 000009
【図９】
0006486701.tif 000010
【図１０】
0006486701.tif 000011
【図１１】
0006486701.tif 000012
【図１２】
0006486701.tif 000013